(57)【特許請求の範囲】
【請求項１】
金属板からなる箱形の筐体と、筒状の導波管部と、該導波管部の中空部と対向する箱状の短絡壁と、電気回路が形成された回路基板とを備え、前記筐体と前記導波管部と前記短絡壁とが繋がって、一枚の金属板を折り曲げて形成され、前記回路基板は、前記一枚の金属板で形成された前記短絡壁と前記導波管部の端部とで挟持された状態で保持されていることを特徴とする衛星放送受信用コンバータ。
【請求項２】
前記導波管部の前記端部の自由端側には、前記回路基板に掛け止めする係止片を設けたことを特徴とする請求項１記載の衛星放送受信用コンバータ。
【請求項３】
前記筐体と前記導波管部とを繋ぐ繋ぎ部に、切り込み等からなる折り曲げ容易手段を設けたことを特徴とする請求項１、又は２記載の衛星放送受信用コンバータ。
【発明の詳細な説明】
【０００１】
【発明の属する技術分野】
本発明は、垂直偏波と水平偏波からなる円偏波を受信するための衛星放送、衛星通信受信用に使用される衛星放送受信用コンバータに関する。
【０００２】
【従来の技術】
従来の衛星放送受信用コンバータを図１０から図１３に基づいて説明すると、図１０は、従来の衛星放送受信用コンバータの斜視図であり、図１１は、図１０の１１−１１線における断面図であり、図１２は、プローブの取り付け状態を説明する要部拡大図であり、図１３は、回路基板の取り付け状態を示す、要部拡大図である。
【０００３】
筐体３１と導波管部３２は、アルミダイキャスト、又は亜鉛ダイキャスト等の金属材により一体に形成されており、筐体３１は、略矩形状の箱形からなり、底壁部３１ａと、この底壁部３１ａの周囲を囲むように直立して形成された側壁部３１ｂと、側壁部３１ｂの上方が開放され、側壁部３１ｂによって囲まれた収納部３１ｃと、底壁部３１ａの一端部近傍に形成された上下に貫通する貫通孔３１ｄと、側壁部３１ｂの上端周縁部に切り欠き形成された段差３１ｅを有している。また、導波管部３２は、比較的細い円筒状を有し、貫通孔３１ｄの位置で、底壁部３１ａから突出して設けられており、偏波を導入する開口部３２ａを有する略円筒状からなる筒状部３２ｂと、中心部の長手方向に形成された中空部３２ｃと、図１２に示すように、筐体３１の貫通孔３１ｄの周縁部から開口部３２ａ方向に延びて筒状部３２ｂ内に形成された半円柱状の凹部からなる保持部３２ｄを有している。
【０００４】
水平偏波をキャッチするプローブ３３は、フッ素樹脂、ポリエチレン、テフロン等からなる筒状の絶縁部３３ａと、絶縁部３３ａの中心部を突き抜け、主として真鍮、ニッケル等の金属からなる線状の中心導体３３ｂとから構成されると共に、中心導体３３ｂは、略直角に折り曲げられてその先端部３３ｃ形成され、また、他端部３３ｄは直線状で形成されている。
そして、このプローブ３３は、図１２に示すように、絶縁部３３ａが導波管部３２の保持部３２ｄに圧入されることにより、導波管部３２に取り付けられている。そして、プローブ３３が取り付けられると、中心導体３３ｂの他端部３３ｄが、筐体３１の収納部３１ｃ側に突出し、折り曲げられた先端部３３ｃは、導波管部３２の中空部３２ｃの中心部まで突出した状態となる。
【０００５】
絶縁板からなる一枚の矩形状の回路基板３４は、図１３に示すように、薄板状の平板部３４ａと、平板部３４ａの側縁の近傍に形成された上下に貫通する３つの貫通孔３４ｂと、貫通孔３４ｂによって、Ｔ字状に形成された橋部３４ｄ、３４ｅと、と貫通孔３４ｂの近傍に形成された小さな孔３４ｃを有している。そして、橋部３４ｅの下面以外の回路基板３４の下面には銅張りからなる接地導体３５が施され、橋部３４ｄの下面がプローブ３３の短絡棒として機能している。
また、橋部３４ｅの上面には、橋部３４ｄ，３４ｅの交点から回路基板３４の平板部３４ａにかけて、垂直偏波をキャッチするプローブ３６が、導電パターンで形成され、平板部３４ａの上面に形成された回路パターン（図示せず）に接続されている。そして、このような構成の回路基板３４は、貫通孔３１ｄと平板部３４ａの貫通孔３４ｂが対向すると共に、プローブ３３の中心導体３３ｂの他端部３３ｄを平板部３４ａの孔３４ｃに挿通させて、筐体３１の底壁部３１ａに載置され、適宜手段によって固定される。そして、回路基板３４上に突出した中心導体３３ｂの他端部３３ｄは、回路パターンに半田３７により半田付けされている。
【０００６】
箱状の金属からなる短絡壁３８は、アルミ、又は亜鉛等のダイキャストで形成され、この短絡壁３８は、回路基板３４の貫通孔３４ｂを覆うようにカシメ等の所望の手段により、回路基板３４に取り付けられる。そして、その底部３８ａが、プローブ３６の短絡部として機能している。
【０００７】
金属からなる一枚の矩形状の板で構成されるカバー３９は、筐体３１の側壁部３１ｂの段差３１ｅに載置されて、適宜手段によって固定される。そして、筐体３１の収納部３１ｃが密閉され、収納部３１ｃ内が電気的にシールドされた状態となっている。
【０００８】
【発明が解決しようとする課題】
しかし、従来の衛星放送受信用コンバータは、筐体３１，導波管部３２が、アルミ等のダイキャストにより一体に製造されるものであるため、材料が多くなって材料費が高く、且つ、製造に時間がかかるため、高価で、生産性が悪いという問題があった。
また、筐体３１，導波管部３２は、それぞれ大きさ、形状が異なるため、ダイキャスト用の金型が複雑で高価なものとなり、これに伴ってコンバータが高価になるという問題があった。
本発明は、生産性が良好で、安価な衛星放送受信用コンバータを提供することをその目的とする。
【０００９】
【課題を解決するための手段】
上記課題を解決するための第１の手段として、金属板からなる箱形の筐体と、筒状の導波管部と、該導波管部の中空部と対向する箱状の短絡壁と、電気回路が形成された回路基板とを備え、前記筐体と前記導波管部と前記短絡壁とが繋がって、一枚の金属板を折り曲げて形成され、前記回路基板は、前記一枚の金属板で形成された前記短絡壁と前記導波管部の端部とで挟持された状態で保持されている構成とした。
【００１０】
また、第二の解決手段として、前記導波管部の前記端部の自由端側には、前記回路基板に掛け止めする係止片を設けた構成とした。
【００１１】
また、第三の解決手段として、前記筐体と前記導波管部とを繋ぐ繋ぎ部に、切り込み等からなる折り曲げ容易手段を設けた構成とした。
【００１３】
【発明の実施の形態】
本発明の衛星放送受信用コンバータを図１から図９に基づいて説明すると、図１は、本発明の衛星放送受信用コンバータの分解斜視図であり、図２は、同じく分解断面図であり、図３は、同じく、導波管部の回路基板への取り付け状態を示す説明図であり、図４は、同じく、その組立方法を示す、半製品部材の展開図であり、図５は、同じく、回路基板の拡大図であり、図６，図７は、同じく、プローブの取り付け状態を示す説明図であり、図８は、同じく、保持部の変形例を示す斜視図であり、図９は、同じく保持部の変形例を示す上面図である。
【００１４】
本発明の衛星放送受信用コンバータは、図１から図９に示すように、筐体１と、導波管部２と、短絡壁７とが繋がって薄型の一枚の金属板を折り曲げて一体で形成されている。
【００１５】
筐体１は、箱状の薄い金属板からなり、中央部に矩形状の孔１ｇを設けて、その外周部に縁部を形成するコ字状の上壁部１ｅと、この上壁部１ｅの四方からから折り曲げられて、直立して形成された側壁部１ａ，１ｂ，１ｃ，１ｄを有し、この側壁部１ａから１ｄのそれぞれは上壁部１ｅと繋がった一体のものである。そして、側壁部１ｃと対向する側壁部１ｄの上部は、孔１ｇと連設され、大きく切り欠かれた切り込み部１ｈを有する。また、図４に示すように、側壁部１ａ，１ｂ，１ｃの下端部には、複数の略く字状の係合片１ｆが形成されている。
【００１６】
導波管部２は、矩形の筒状の薄い金属板からなり、筐体１の側壁部１ｄと繋ぎ部１ｉによって下方に延びて形成された側板部２ａと、側板部２ａの両側からそれぞれ直角に折り曲げられて形成された側板部２ｂ，２ｄと、側板部２ｂから直角に折り曲がって側板部２ｄに連結し、側板部２ａと対向して形成された側板部２ｃと、各側板部２ａ〜２ｄに囲まれて形成された中空部２ｅと、繋ぎ部１ｉを除いた各側板部２ｂ〜２ｄの端に自由端側となる端部２ｆを有している。そして、図２，図３に示すように、筐体１と連結された側板部２ａと対向する側板部２ｃの端部２ｆには、２個の略く字状の係止片２ｇが形成されている。そして、図４に示すように、側板部２ａと側板部２ｄの境目には、略矩形状の係合穴３が設けらると共に、側板部２ｄには、係合穴３の近傍において丸孔４ａ、と角孔４ｂとからなる挿入孔４が設けられている。また、側板部２ａと、筐体１の側壁部１ｄを繋ぐ繋ぎ部１ｉには、切り込み等からなる折り曲げ容易手段５が形成されている。そして、導波管部２は、折り曲げ形成された際、図１のように、筐体１から垂直状態で下方に突出した状態になっており、図２において点線で示すように、折り曲げ容易手段５を基準として筐体１に対して傾倒可能となっている。
【００１７】
また、保持部６は、図３，図４に示すように、繋ぎ部２ｈにより側壁部２ｃに繋がれて、導波管部２の外側に位置するように形成され、この保持部６は、平板状の基部６ａと、基部６ａの中央部に形成された半円筒状の抱持部６ｂと、自由端部側であるその端部から折り曲げ形成された略く字状の係止片６ｃを有している。
そして、保持部６は、側板部２ｃから折り曲げ可能になっており、側板部２ｄに対向するように折り曲げられた際、係止片６ｃは、係止穴３に係止可能となっている。
【００１８】
短絡壁７は、箱状の薄い金属板からなり、筐体１の側壁部１ｄに繋がれ、この側壁部１ｄから直角に折り曲がって形成された蓋部７ａと、側壁部１ｄとの繋ぎ部を除く蓋部７ａの３辺から、側壁部１ｄと対向する側の下方に折り曲げられて形成された側部７ｂ，７ｃ，７ｄと、蓋部７ａ、各側部７ｂ〜７ｄ、及び側壁部１ｄによって囲まれて形成された空洞部７ｅを有している。
そして、短絡壁７は、筐体１内に位置してその空洞部７ｅが導波管部２の中空部２ｅと対向する状態になっている。
【００１９】
水平偏波をキャッチするプローブ８は、図６に示すように、フッ素樹脂、ポリエチレン、テフロン等からなる筒状のＬ型の絶縁部８ａと、絶縁部８ａの中心部を突き抜け、主として真鍮、ニッケル等の金属からなる線状の中心導体８ｂとから構成されると共に、中心導体８ｂは、絶縁部８ａと共に直角状に折り曲げられた先端部８ｃと、この先端部８ｃと直角状に位置する他端部８ｄを有している。
そして、このプローブ８は、特に図３、図７に示すように、Ｌ型の絶縁部８ａの一端部が、導波管部２の側板部２ｄに形成された挿入孔４の丸孔４ａに嵌入されると共に、導波管部２から露出した絶縁部８ａの他端部が導波管部２の側板部２ｄの外表面と、保持部６の抱持部６ｂとで挟持された状態で、保持されている。そして、この時、導波管部２から露出した絶縁部８ａの他端部が、その長手方向の全体が保持部６の抱持部６ｂに覆われて保持されると共に、導波管部２から露出した中心導体８ｂがその長手方向の全体にわたって、抱持部６ｂに覆われた状態になっている。
そして、プローブ８が取り付けられると、中心導体８ｂの他端部８ｄが筐体１側に突出し、折り曲げられた先端部８ｃは、導波管部２の中空部２ｅの中心部まで突出した状態となる。
【００２０】
絶縁板からなる一枚の矩形状の回路基板９は、図５に示すように、薄板状の平板部９ａと、平板部９ａの一側縁に形成された切り欠き部９ｂと、切り欠き部９ｂの近傍に形成された上下に貫通する略矩形の３つの貫通孔９ｃと、貫通孔９ｃによってＴ字状に形成された橋部９ｇ，９ｈと、貫通孔９ｃの近傍に形成された小さな孔９ｄと、貫通孔９ｃの近傍で、切り欠き部９ｂと対向する位置に設けられた２個の第一の係合孔９ｅと、周縁部に複数個設けられた第二の係合孔９ｆを有している。そして、平板部９ａの下面において、橋部９ｈを除いた全体には銅張りからなる接地導体１０が施されている。
また、橋部９ｈの上面には、橋部９ｇ，９ｈの交点から回路基板９の平板部９ａにかけて、垂直偏波をキャッチするプローブ１１が導電パターンで形成されると共に、平板部９ａの上面に形成された配線パターン（図示せず）に接続されている。また、平板部９ａの上面において、回路基板９を貫通する複数個のスルーホール１２ａによって、接地導体１０と繋がった状態で、貫通孔９ｃを囲うように帯状のアースパターン１２が銅張りによって形成されている。
【００２１】
そして、このような構成の回路基板９は、その平板部９ａの上面が筐体１の側壁部１ａ〜１ｄの下端部に当接すると共に、平板部９ａの下面が当接した導波管部２の端部２ｆとで挟持された状態で保持されている。この時、導波管部２の係止片２ｇと第一の係合孔９ｅが掛け止めされ、且つ、筐体１の係合片１ｆが第二の係合孔９ｆに掛け止めされることによって保持が成されている。
また、この時、回路基板９の平板部９ａの上面が、短絡壁７の側部７ｂ〜７ｄの下端部に当接すると共に、平板部９ａの切り欠き部９ｂに、導波管部２の側板部２ａが嵌め合わされた状態となっている。
さらに、図３に示すように、回路基板９の貫通孔９ｃと、導波管部２の中空部２ｅ及び短絡壁７の空洞部７ｅが対向し、短絡壁７の各側部７ｂ〜７ｄがアースパターン１２に当接すると共に、プローブ８の中心導体８ｂの他端部８ｄが平板部９ａの孔９ｄに挿通する状態になっている。そして、回路基板９上に突出した中心導体８ｂの他端部８ｄは、半田１３により半田付けされ、回路基板９上に形成された配線パターンに接続されている。
即ち、回路基板９の貫通孔９ｃは、導波管部２内と短絡壁７内に位置して、それ以外の回路基板９の下面は、接地導体１０でシールドされた状態となっている。
【００２２】
金属からなる一枚の矩形状の板で構成されるＬ字型のカバー１４は、筐体１の側壁部１ｄと上壁部１ｅとで構成された嵌合部にはめ合わされ、適宜手段によって固定され、筐体１の内部が密閉され、電気的にシールドされた状態となっている。
【００２３】
本発明の衛星放送受信用コンバータは、以上のように構成され、次にその組立方法について説明すると、まず、図４に示すように、中央部に孔１ｇと切り込み部１ｈが設けられた上壁部１ｅと、上壁部１ｅから四方に延びる側壁部１ａ〜１ｄからなる筐体１及び、側壁部１ｄから延びる側板部２ａと、側板部２ａの一方側から連続して延びる側板部２ｂ，２ｃと、他方側から延びる側板部２ｄと、側板部２ｃから繋ぎ部２ｈを介して外方に延びる保持部６とからなり、筐体１の外方に形成された導波管部２、さらに、側壁部１ｄから側板部２ａと対向して延びる蓋部７ａと、蓋部７ａから三方向に延びる側部７ｂ〜７ｄとからなり、筐体１の孔１ｇと切り込み部１ｈとに跨って形成された短絡壁７とが、薄い金属板を打ち抜いて半製品部材１５を作る。
そして、半製品部材１５の状態から、点線Ａの位置で、各側壁部１ａ〜１ｄを直角に折り曲げることによって、筐体１を形成し、また、点線Ｂの位置で、側板部２ｂ〜２ｄを直角に折り曲げ、側板部２ｃと２ｄを連結することによって、導波管部２を形成し、そして、点線Ｃの位置で、蓋部７ａを直角に折り曲げると共に、点線Ｄの位置で、側部７ｂ〜７ｄを直角に折り曲げることによって、短絡壁７を形成することによって、図１に示すような形状で全体が形成される。
【００２４】
次に、回路基板９の取り付けを説明すると、図２に示すように、筐体１から垂直に設けられた導波管部２を、折り曲げ容易手段５から点線で示すように外方に傾倒させ、その間に回路基板９を位置させた後、導波管部２を垂直の状態に戻すことによって回路基板９を挟み込む。この挟み込みは、まず筐体１の係合片１ｆに回路基板９の第二の係合孔９ｆが掛け止めされた状態で、回路基板９を筐体１の下方に取り付け、その後、導波管部２における端部２ｆの自由端側に形成された係止片２ｇを、図３に示すように、回路基板９の第一の係合孔９ｅに掛け止めすることにより行われる。そして、この掛け止めにより、回路基板９は確実に挟持、保持される。
【００２５】
次に、挿入孔４へのプローブ８の取り付けは、図６に示すような状態からプローブ８を矢印の方向に回転させて、中心導体８ｂの先端部８ｃを中空部２ｅ内に位置させ、丸孔４ａに絶縁部８ａを係止することによって成される。次に、保持部６を繋ぎ部２ｈから折り曲げて、保持部６の自由端部側にある係止片６ｃを、係合穴３に掛け止めして、抱持部６ｂと側板部２ｄとの間で絶縁部８ａを挟持して、プローブ８を保持する。
【００２６】
このようにして形成、組み立てられた本発明の衛星放送受信用コンバータの動作を説明すると、相互に直交する２つの偏波は、導波管部２から中空部２ｅ内に導入され、水平偏波は、橋部９ｇの裏面に設けられた接地導体１０の一部で反射して、中空部２ｅに突出したプローブ８の先端部８ｃでキャッチされ、また、垂直偏波は、短絡壁７の蓋部７ａに反射して、橋部９ｈの上面に形成されたプローブ１１でキャッチされる。そして、プローブ８でキャッチされた水平偏波は、中心導体８ｂを介して、水平偏波信号として回路基板９の電気回路に伝達される。また、プローブ１１によってキャッチされた垂直偏波は、垂直偏波信号として回路基板９の電気回路に伝達される。そして、回路基板９は、各プローブから伝達された偏波信号を合成する。
【００２７】
本発明の衛星放送受信用コンバータは、上記実施の形態に限られないことは言うまでもなく、保持部６は、図８に示すように、係止片を有さないもので、繋ぎ部２ｈから曲がったままの状態で、絶縁部８ａが保持されるものでも良く、図９に示すように、絶縁部８ａの円周のほぼ全面にわたって抱持し、保持部６のみで保持するようにしたものでも良い。
また、折り曲げ容易手段５は、上記実施の形態のような切り込みに限らず、ミシン目等であっても良い。
【００２８】
【発明の効果】
本発明の衛星放送受信用コンバータでは、筐体と導波管部と短絡壁とが繋がって、一枚の金属板を折り曲げて形成されている構成としたため、一枚の薄い金属板で構成されるので材料が少なく、また、打ち抜いて、折り曲げ形成するだけなので、製造が容易で、短時間で製造可能となり、生産性が良好で安価な衛星放送受信用コンバータを提供できる。
また、ダイキャスト用の高価な金型が必要なくなるので、それに伴い安価な衛星放送受信用コンバータを提供することができる。
【００２９】
また、回路基板は、筐体と導波管部の端部とで挟持された状態で保持されている構成としたため、簡単に回路基板を保持することができるので、構成が簡単で、生産性の良好な衛星放送受信用コンバータを提供することができる。
【００３０】
また、導波管部の端部の自由端側には、回路基板に掛け止めする係止片を設けた構成としたため、簡単、且つ、確実に導波管部の取り付けができると共に、導波管部の位置決めができ、生産性が良好で、信頼性の高い衛星放送受信用コンバータを提供することができる。
【００３１】
また、筐体と導波管部とを繋ぐ繋ぎ部に、切り込み等からなる折り曲げ容易手段を設けた構成としたため、導波管部が所定の位置で簡単に折り曲がるので、回路基板の取り付けが容易となり、生産性の良好な衛星放送受信用コンバータを提供することができる。
【図面の簡単な説明】
【図１】本発明の衛星放送受信用コンバータの分解斜視図。
【図２】本発明の衛星放送受信用コンバータの分解断面図。
【図３】本発明の衛星放送受信用コンバータに係り、導波管部の回路基板への取り付け状態を示す説明図。
【図４】本発明の衛星放送受信用の組立方法を示す、半製品部材の展開図。
【図５】本発明の衛星放送受信用コンバータに係る、回路基板の拡大図。
【図６】本発明の衛星放送受信用コンバータに係り、プローブの取り付け状態を示す説明図。
【図７】本発明の衛星放送受信用コンバータに係り、プローブの取り付け状態を示す説明図。
【図８】本発明の衛星放送受信用コンバータに係る、保持部の変形例を表す斜視図。
【図９】本発明の衛星放送受信用コンバータに係る、保持部の変形例を表す上面図。
【図１０】従来の衛星放送受信用コンバータの斜視図。
【図１１】図１０の１１−１１線における断面図。
【図１２】従来の衛星放送受信用コンバータに係り、プローブの取り付け状態を説明する要部拡大図。
【図１３】従来の衛星放送受信用コンバータに係り、回路基板の取り付け状態を示す、要部拡大図。
【符号の説明】
１  筐体
２  導波管部
２ｅ  中空部
２ｆ  端部
２ｇ  係止片
３  係合穴
４  鍵穴
５  折り曲げ容易手段
６  保持部
６ｃ  係止片
７  短絡壁
８  プローブ
８ａ  絶縁部
８ｂ  中心導体
９  回路基板
１０  接地導体
１１  プローブ
１２  アースパターン
１３  半田
１４  カバー
１５  半製品部材
【図１】
0003771094.tif 000002
【図２】
0003771094.tif 000003
【図３】
0003771094.tif 000004
【図４】
0003771094.tif 000005
【図５】
0003771094.tif 000006
【図６】
0003771094.tif 000007
【図７】
0003771094.tif 000008
【図８】
0003771094.tif 000009
【図９】
0003771094.tif 000010
【図１０】
0003771094.tif 000011
【図１１】
0003771094.tif 000012
【図１２】
0003771094.tif 000013
【図１３】
0003771094.tif 000014